(57)【要約】【課題】折り畳みコンテナを組み立てた状態で口枠を手で持って上方に持ち上げた場合に、折り畳み用側板と口枠との軸支部分が外れるのを簡単な構成で確実に防止する。【解決手段】折り畳みコンテナ１において、口枠３と上側板５の上端とを連結する連結部分に、口枠３と上側板５とを回動自在に軸支する上軸部１１と上軸受け部１２とよりなる上軸支部１０と、上軸部１１が上軸受け部１２から外れるのを防止するための上外れ防止部１３を隣接して設ける。上外れ防止部１３が、少なくとも上側板５が垂直姿勢となった状態で、口枠３を持ち上げた際に、上側板５に作用する下向きの荷重により口枠３の軸支部分の隣に設けた上支持部１５の上面に当接して上側板５を口枠３に支持させるための上外れ防止片１４を上側板５に備えている。【選択図】図１
2008290752.tif 000002
【特許請求の範囲】
【請求項１】
矩形状の底板と、底板の上方に配置した矩形枠状の口枠と、底板の対向する一対の辺と口枠の対向する一対の辺との間にそれぞれ配置した折り畳み用側板と、底板の対向する他の一対の辺と口枠の対向する他の一対の辺との間にそれぞれ配置した起倒用側板とを具備し、起倒用側板の上端を口枠に回動自在に連結して起倒用側板を起倒自在とし、折り畳み用側板を上半分の上側板と下半分の下側板とで構成して上側板の上端を口枠に回転自在に連結すると共に下側板の下端を底板に回転自在に連結し且つ上側板の下端と下側板の上端を回転自在に連結した折り畳みコンテナにおいて、口枠と上側板の上端とを連結する連結部分に、口枠と上側板とを回動自在に軸支する上軸部と上軸受け部とよりなる上軸支部と、上軸部が上軸受け部から外れるのを防止するための上外れ防止部を隣接して設け、該上外れ防止部が、少なくとも上側板が垂直姿勢となった状態で、口枠を持ち上げた際に、上側板に作用する下向きの荷重により口枠の軸支部分の隣に設けた上支持部の上面に当接して上側板を口枠に支持させるための上外れ防止片を上側板に備えていることを特徴とする折り畳みコンテナ。
【請求項２】
底板と下側板の下端とを連結する連結部分に、底板と下側板とを回動自在に軸支する下軸部と下軸受け部とよりなる下軸支部と、下軸部が下軸受け部から外れるのを防止するための下外れ防止部を隣接して設け、該下外れ防止部が、少なくとも下側板が垂直姿勢となった状態で、口枠を持ち上げた際に、底板に作用する下向きの荷重により底板の軸支部分の隣に設けた下支持部の下面に当接して底板を下側板に支持させるための下外れ防止片を下側板に備えていることを特徴とする請求項１記載の折り畳みコンテナ。
【発明の詳細な説明】
【技術分野】
【０００１】
本発明は、折り畳みコンテナに関するものである。
【背景技術】
【０００２】
従来から、矩形状の底板と、底板の上方に配置した矩形枠状の口枠と、底板の対向する一対の辺と口枠の対向する一対の辺との間にそれぞれ配置した折り畳み用側板と、底板の対向する他の一対の辺と口枠の対向する他の一対の辺との間にそれぞれ配置した起倒用側板とを具備し、起倒用側板の上端を口枠に回動自在に連結して起倒用側板を起倒自在とし、折り畳み用側板を上半分の上側板と下半分の下側板とで構成して上側板の上端を口枠に回転自在に連結すると共に下側板の下端を底板に回転自在に連結し且つ上側板の下端と下側板の上端を回転自在に連結した折り畳みコンテナが知られている。
【０００３】
上記のような折り畳みコンテナにおいて、側板の上端を口枠に回動自在に取付けるに当たって、口枠に一体に軸受け用の横孔を形成すると共に、側板の上端に横軸を一体に形成し、先端が自由端となった横軸を横孔に弾性を利用して強制的に嵌合することにより取付けていた。
【０００４】
ところが、折り畳みコンテナを組み立てて箱状とした場合、側板に外力を加えたり、あるいは他の理由で大きな外力が加えられたりすると、弾性変形して先端が自由端となった横軸が横孔から外れてしまうという問題があった。
【０００５】
このため、側板に外から外力が作用した際に横軸が横孔から外れないようにするために上記横軸と横孔との軸支部分とは異なる位置において、側板の上端部に別の外れ防止横軸を一体に設けると共に、口枠の内周側において下方に突出する外れ防止片を一体に垂設し、側板に外方向から外力が作用して弾性変形して横軸が横孔から外れようとしても、外れ防止横軸が外れ防止片に当たることで、横軸の横孔からの外れを防止するようにしたものが特許文献１により知られている。
【０００６】
ところが、上記特許文献１に示された従来例にあっては、側板に外方から外力が作用した場合には横軸が横孔から外れるのを防止できるかも知れないが、折り畳みコンテナを箱状に組み立てて内部に収納物を入れた状態で、口枠を手で持って持ち上げると、口枠を除く、底板、側板、内容物の全ての重量が横軸と横孔との軸支部分に掛かり、内容物の重量が重い場合は横軸が横孔から外れてしまうおそれがある。特に、折り畳み用側板と口枠との軸支部分においては、口枠を手で持って持ち上げた際に、底板、側板、内容物の重量が集中して掛って、外れ易いという問題がある。
【特許文献１】特開平１１−１４７５２５号公報
【発明の開示】
【発明が解決しようとする課題】
【０００７】
本発明は上記の従来の問題点に鑑みて発明したものであって、折り畳みコンテナを組み立てた状態で口枠を手で持って上方に持ち上げた場合、内容物の重みにより折り畳み用側板の上側板と口枠との軸支部分が外れるのを確実に防止することができ、また、折り畳み、組み立てをスムーズ且つ精度良く行うことができる折り畳みコンテナを提供することを課題とするものである。
【課題を解決するための手段】
【０００８】
上記課題を解決するために本発明に係る折り畳みコンテナは、矩形状の底板２と、底板２の上方に配置した矩形枠状の口枠３と、底板２の対向する一対の辺と口枠３の対向する一対の辺との間にそれぞれ配置した折り畳み用側板４と、底板２の対向する他の一対の辺と口枠３の対向する他の一対の辺との間にそれぞれ配置した起倒用側板９とを具備し、起倒用側板９の上端を口枠３に回動自在に連結して起倒用側板９を起倒自在とし、折り畳み用側板４を上半分の上側板５と下半分の下側板６とで構成して上側板５の上端を口枠３に回転自在に連結すると共に下側板６の下端を底板２に回転自在に連結し且つ上側板５の下端と下側板６の上端を回転自在に連結した折り畳みコンテナ１において、口枠３と上側板５の上端とを連結する連結部分に、口枠３と上側板５とを回動自在に軸支する上軸部１１と上軸受け部１２とよりなる上軸支部１０と、上軸部１１が上軸受け部１２から外れるのを防止するための上外れ防止部１３を隣接して設け、該上外れ防止部１３が、少なくとも上側板５が垂直姿勢となった状態で、口枠３を持ち上げた際に、上側板５に作用する下向きの荷重により口枠３の軸支部分の隣に設けた上支持部１５の上面に当接して上側板５を口枠３に支持させるための上外れ防止片１４を上側板５に備えていることを特徴とするものである。
【０００９】
このように少なくとも上側板５が垂直姿勢となった状態で、口枠３を持ち上げた際に、上側板５に作用する下向きの荷重により口枠３の軸支部分の隣に設けた上支持部１５の上面に当接して上側板５を口枠３に支持させるための上外れ防止片１４を備えているので、口枠３を手で持って折り畳みコンテナ１を持ち上げた際に、上外れ防止片１４が上支持部１５の上面部に当たって、収納物の重量が上外れ防止片１４から上支持部１５に掛ることになり、上軸部１１と上軸受け部１２との軸支が上下方向に外れるのが防止できる。また、上軸支部１０と上外れ防止部１３を隣接して設けてあるので、上軸支部１０を構成する上軸部１１及び上軸受け部１２と、上外外れ防止部１３に備えた上支持部１５及び上外れ防止片１４との相互の位置関係が正確に確保でき、組み立てが簡単且つ正確に行えて、口枠３を手で持って折り畳みコンテナ１を持ち上げた際に、上外れ防止片１４が上支持部１５の上面部に確実に当たって、上軸部１１と上軸受け部１２との軸支が上下方向に外れるのを防止することができる。
【００１０】
また、底板２と下側板６の下端とを連結する連結部分に、底板２と下側板６とを回動自在に軸支する下軸部１７と下軸受け部１８とよりなる下軸支部１６と、下軸部１７が下軸受け部１８から外れるのを防止するための下外れ防止部１９を隣接して設け、該下外れ防止部１９が、少なくとも下側板６が垂直姿勢となった状態で、口枠３を持ち上げた際に、底板２に作用する下向きの荷重により底板２の軸支部分の隣に設けた下支持部２０の下面に当接して底板２を下側板６に支持させるための下外れ防止片２１を下側板６に備えていることが好ましい。
【００１１】
このように少なくとも下側板６が垂直姿勢となった状態で、口枠３を持ち上げた際に、底板２に作用する下向きの荷重により底板２の軸支部分の隣に設けた下支持部２０の下面に当接して底板２を下側板６に支持させるための下外れ防止片２１を下側板６に備えているので、口枠３を手で持って折り畳みコンテナ１を持ち下げた際に、下外れ防止片２１が下支持部２０の下面部に当たって、収納物の重量が下外れ防止片２１から下支持部２０に掛ることになり、下軸部１７と下軸受け部１８との軸支が上下方向に外れるのが防止できる。また、下軸支部１６と下外れ防止部１９を隣接して設けてあるので、下軸支部１６を構成する下軸部１７及び下軸受け部１８と、下外外れ防止部１９に備えた下支持部２０及び下外れ防止片２１との相互の位置関係が正確に確保でき、組み立てが簡単且つ正確に行えて、口枠３を手で持って折り畳みコンテナ１を持ち下げた際に、下外れ防止片２１が下支持部２０の下面部に確実に当たって、下軸部１７と下軸受け部１８との軸支が上下方向に外れるのを防止することができる。
【発明の効果】
【００１２】
本発明の請求項１記載の発明にあっては、上記のように上外れ防止片を備えているので、口枠を手で持って折り畳みコンテナを持ち上げた際に、上外れ防止片が上支持部の上面部に当たって、収納物の重量が上外れ防止片から上支持部に掛り、上軸部と上軸受け部との軸支が上下方向に外れるのを確実に防止でき、従って、折り畳みコンテナ内に重量の重い収納物を収納した状態で口枠を手で持ち上げても、軸支部分が外れない。また、上軸支部と上外れ防止部を隣接して設けてあるので、相互の位置関係が正確に確保でき、組み立てが簡単且つ正確に行えると共に、口枠を手で持って折り畳みコンテナを持ち上げた際に、上外れ防止片が上支持部の上面部に確実に当たって、上軸部と上軸受け部との軸支が上下方向に外れるのを防止することができる。
【００１３】
また、請求項２記載の発明にあっては、上記請求項１記載の発明の効果に加えて、口枠を手で持って折り畳みコンテナを持ち上げた際に、下外れ防止片が下支持部の下面部に当たって、収納物の重量が下支持部から下外れ防止片に掛り、下軸部と下軸受け部との軸支が上下方向に外れるのを確実に防止でき、従って、折り畳みコンテナ内に重量の重い収納物を収納した状態で口枠を手で持ち上げても、軸支部分が外れない。また、下軸支部と下外れ防止部を隣接して設けてあるので、相互の位置関係が正確に確保でき、組み立てが簡単且つ正確に行えると共に、口枠を手で持って折り畳みコンテナを持ち上げた際に、下外れ防止片が下支持部の下面部に確実に当たって、下軸部と下軸受け部との軸支が上下方向に外れるのを防止することができる。
【発明を実施するための最良の形態】
【００１４】
以下、本発明を添付図面に示す実施形態に基いて説明する。
【００１５】
本実施形態の折り畳みコンテナ１は、図１〜図６に示すように、合成樹脂により形成した矩形状の底板２と、底板２の上方に配置した合成樹脂により形成した矩形枠状の口枠３と、底板２の対向する一対の辺と口枠３の対向する一対の辺との間にそれぞれ配置した折り畳み用側板４と、底板２の対向する他の一対の辺と口枠３の対向する他の一対の辺との間にそれぞれ配置した合成樹脂により形成した起倒用側板９とを具備している。
【００１６】
起倒用側板９の上端は口枠３に回動自在に連結してあって、起倒用側板９が起倒自在となっている。また、折り畳み用側板４は合成樹脂により形成した上半分の上側板５と、合成樹脂により形成した下半分の下側板６とで構成してあり、上側板５の下端と下側板６の上端とが中間軸支部８により回動自在に連結してあって折り畳み用側板４は上下方向の中間部分で内側に折り畳み自在となっている。この中間部分で折り畳み自在となった折り畳み用側板４は、上側板５の上端を口枠３に回転自在に連結すると共に下側板６の下端を底板２に回転自在に連結し且つ上側板５の下端と下側板６の上端を回転自在に連結してある。
【００１７】
口枠３は矩形状に形成してある。この口枠３の上面には図１のように開口部を開閉する蓋板を設けない場合と、図１３に示すように開口部を開閉する合成樹脂製の２枚の蓋板７を軸支部３ａにより回動自在に取付ける場合とがあるが、いずれであってもよい。なお、蓋板７を設ける場合、２枚の蓋板７の各先端に、互いに重複する重複片を設けて、該重複片に相互に噛み合って係合する凹凸係合部をそれぞれ設ける。
【００１８】
矩形状（図に示す実施形態においては長方形状）をした口枠３の対向する一対の辺（図に示す実施形態においては対向する長辺）は図７、図９に示すように断面略逆Ｕ字状をしており、断面略逆Ｕ字状の外側片２３は内側片２２よりも上下長さが長く、外側片２３の下端が内側片２２の下端よりも下方に位置している。内側片２２の下端から複数の下向き突片２４が一体に垂設してあり、下向き突片２４及びこれに連続する内側片２２と外側片２３との間に連結片２５が一体に架設してあり、該連結片２５から外側片２３と平行に横向き円柱状をした上支持部１５が一体に突設してある。これら下向き突片２４、連結片２５の下端は外側片２３の下端とほぼ同じレベルとなっている。
【００１９】
この横向き円柱状をした上支持部１５には該上支持部１５と同心状に上軸受け部１２となる軸孔１２ａが設けてある。
【００２０】
上側板５の上端部には上軸受け部１２に回動自在に軸支される上軸部１１と、上支持部１５に回動自在に被嵌される上被嵌片２７とが一体に形成してある。添付図面に示す実施形態では、上側板５の上端部に複数の上凹部２６が形成してあり、各上凹部２６内の一内側面に先端が自由端となった上軸部１１を横方向に突設し、また、上凹部２６の外側端部に板状をした略逆Ｊ字状をした上被嵌片２７が設けてあり、この上被嵌片２７は縦片部２８と縦片部２８の上端部に連設した弧状をした上外れ防止片１４とで構成してある。上被嵌片２７は下端と一側端とが上凹部２６の外側下端と一側端（上軸部１１を突設していない方の側端）とに一体に連設してあり、上凹部２６の上軸部１１を突設した方の一内側面と、上外れ防止部１３の他側端との間に隙間２９が形成してある。また、板状をした上外れ防止部１３の上端部は弧状に湾曲した上外れ防止片１４となっている。
【００２１】
口枠３の一対の辺にそれぞれ上側板５を取付けるに当たっては、下向き突片２４を上凹部２６内に位置させ、先端が自由端となった上軸部１１を上軸受け部１２を構成する軸孔１２ａに無理嵌めにより嵌合することで回動自在に軸支し、また、同時に上端部が弧状をした上外れ防止片１４となった上被嵌片２７を外側片２３と上支持部１５との間から差し込んで上支持部１５に回動自在に嵌め込むことにより、上側板５の上端を口枠３に回動自在に取付けるものである。この場合、隙間２９に連結片２５が位置することで、折り畳み用側板４が中間部分で内側に折り畳むことができるように上側板５が口枠３に対して支障なく回動できるようになっている。
【００２２】
上記のように、上軸部１１を上軸受け部１２に回動自在に軸支することで、上側板５を口枠３に回動自在に軸支する上軸支部１０が構成される。また、上被嵌片２７と外側片２３と上支持部１５とで、上軸部１１が上軸受け部１２から外れるのを防止するための上外れ防止部１３が構成される。そして、上軸支部１０と上外れ防止部１３とは隣接して位置している。
【００２３】
ここで、図７（ａ）のように上側板５が垂直姿勢となった状態（折り畳みコンテナ１を箱状に組み立てた状態）、図７（ｃ）のように上側板５が略水平となった状態（折り畳みコンテナ１を折り畳んだ状態）、及び、図７（ｄ）のように上側板５が垂直姿勢と略水平姿勢との間で回動している状態において、上被嵌片２７の垂直な縦片部２８又は先端部の弧状をした上外れ防止片１４が外側片２３と上支持部１５との間に位置し、口枠３や上側板５に横方向の力が作用した場合（例えば、口枠３を手で持って引いたり、上横板５に外側又は内側から横方向の力が作用した場合）、上被嵌片２７の垂直な部分又は先端部の弧状をした上外れ防止片１４が、外側片２３又は上支持部１５の側面部に当たるようになっていて、これにより、先端が自由端となった上軸部１１が上軸受け部１２から横方向に外れるのが防止されるようになっている。また、上側板５が垂直姿勢となった状態では図７（ａ）のように上外れ防止片１４が上支持部１５の上面に当接又は上面との間にごく僅かな隙間を介して位置するように構成してあり、口枠３を持ち上げた際に、上側板５に作用する下向きの荷重により口枠３の軸支部分の隣に設けた上支持部１５の上面に当接するようになっており、これにより、口枠３を持ち上げた際に収納物の重量により上軸部１１が上軸受け部１２から上下方向に抜けるのが防止されるようになっている。
【００２４】
底板２は矩形状（図に示す実施形態においては長方形状）をしており、この底板２の上面部の外周には上方に向けて突縁部３０が突設してあり、底板２の対向する一対の辺（図に示す実施形態においては対向する長辺）に位置する突縁部３０には複数の下軸受け部１８を設けてある。この下軸受け部１８は、図８、図１０に示すように、突縁部３０に上面側に開口する軸受け凹所３１を形成すると共に該軸受け凹所３１の一側部に軸受け凹所３１に連通する軸受け孔３２を形成することで構成してある。軸受け凹所３１の上記軸受け孔３２と反対側の他側部には横方向に突出した下支持部２０が設けてある。突縁部３０の内側片３０ａの軸受け凹所３１に対応する部位は内側開口３６となっている。
【００２５】
下側板６の下端部には下軸受け部１８に回動自在に軸支される下軸部１７と、下支持部２０に回動自在に被嵌される下被嵌片３３とが一体に形成してある。添付図面に示す実施形態では、図８、図１０に示すように、下側板６の下端部に軸主体部３４を突設すると共に各軸主体部３４の一側部に横突軸３５を突設することで下軸部１７を構成してあり、軸主体部３４の下軸部１７を突設した方と反対側の側部の外側と連続するように略Ｊ字状をした下被嵌片３３を横突軸３５の突出方向と反対方向に一体に連設してあり、略Ｊ字状をした下被嵌片３３は縦片部３４と縦片部３４の下端部に連設した弧状をした下外れ防止片２１とで構成してある。
【００２６】
底板２の一対の辺にそれぞれ下側板６を取付けるに当たっては、軸主体部３４を軸受け凹所３１に回動自在に嵌め込むと共に横突軸３５を軸受け孔３２に嵌め込むことにより、軸主体部３４と横突軸３５とよりなる下軸部１７を、軸受け凹所３１と軸受け孔３２とよりなる下軸受け部１８に回動自在に嵌め込むことにより取付け、また、同時に下端部が弧状をした下外れ防止片２１となった下被嵌片３３を突縁部３０の内側片３０ａと下支持部２０との間から差し込んで下支持部２０に回動自在に嵌め込むことにより、下側板６の下端を底板２に回動自在に取付けるものである。この場合、内側片３０ａの軸受け凹所３１に対応する部位に内側開口３６を形成してあるので、折り畳み用側板４が中間部分で内側に折り畳むことができるように下側板６が底板２に対して支障なく回動できるようになっている。
【００２７】
上記のように、下軸部１７を下軸受け部１８に回動自在に軸支することで、下側板６を底板２に回動自在に軸支する下軸支部１６が構成される。また、下被嵌片３３と突縁部３０の外側片３０ｂと下支持部２０とで、下軸部１７が下軸受け部１８から外れるのを防止するための下外れ防止部１９が構成される。そして、下軸支部１６と下外れ防止部１９とは隣接して位置している。
【００２８】
ここで、図８（ａ）のように下側板６が垂直姿勢となった状態（折り畳みコンテナ１を箱状に組み立てた状態）、図８（ｃ）のように下側板６が略水平となった状態（折り畳みコンテナ１を折り畳んだ状態）、及び、図８（ｂ）のように下側板６が垂直姿勢と略水平姿勢との間で回動している状態において、下被嵌片３３の垂直な部分又は先端部の弧状をした下外れ防止片２１が外側片３０ｂと下支持部２０との間に位置し、底板２や下側板６に横方向の力が作用した場合、下被嵌片３３の垂直な部分又は先端部の弧状をした下外れ防止片２１が、外側片３０ｂ又は下支持部２０の側面部に当たるようになっていて、これにより、下軸部１７が下軸受け部１８から横方向に外れるのが防止されるようになっている。また、下側板６が垂直姿勢となった状態では図８（ａ）のように下外れ防止片２１が下支持部２０の下面に当接又は下面との間にごく僅かな隙間を介して下方に位置するように構成してあり、口枠３を持ち上げた際に、底板２に作用する下向きの荷重により下支持部２０の下面に当接するようになっており、これにより、口枠３を持ち上げた際に収納物の重量により下軸部１７が下軸受け部１８から上下方向に抜けるのが防止されるようになっている。
【００２９】
口枠３の対向する他の一対の辺（図の実施形態では口枠３の短辺）にはそれぞれ起倒用側板９の上端部が軸支部３７を介して回動自在に取付けてある。ここで、起倒用側板９は垂直姿勢から、底板２の上方位置において底板と略平行となる略水平姿勢の間で回動自在となっている。
【００３０】
図１１に示すように、起倒用側板９の下端部には下係止部３８が設けてあり、また、底板２の対向する他の一対の辺（図の実施形態では底板２の短辺）には突縁部３０の内側に下被係止部３９が設けてあり、起倒用側板９を垂直に起立させた状態で、該下係止部３８が下被係止部３９に着脱自在に係止して起倒用側板９と底板２とを着脱自在に連結するようになっている。
【００３１】
また、起倒用側板９の両側端部には側係止部４０が設けてあり、また、折り畳み用側板４を構成する上側板５と下側板６との両端部にはそれぞれ側被係止部４１が設けてあり、折り畳み用側板４を垂直姿勢にした後に、起倒用側板９を回動して垂直姿勢にすると、図１２に示すように起倒用側板９の両端部が折り畳み用側板４の端部内面に当接すると共に側係止部４０が側被係止部４１に係止して起倒用側板９と折り畳み用側板４とが着脱自在に連結されるようになっている。
【００３２】
上記の構成の折り畳みコンテナ１は図１乃至図３に示すような組み立て状態から折り畳む際は、図１の状態からまず両起倒用側板９を回動して略水平状態とし、その後、両折り畳み用側板４を中間部分で内側に２つ折りすることで、図４、図６に示すように、底板２上に２つ折りした両折り畳み用側板４が重なり、更に、２つ折りした折り畳み用側板４の上に起倒用側板９が重なり、底板２の周囲の突縁部３０上に口枠３が重なり、しかも、２つ折りした両折り畳み用側板４、起倒用側板９がいずれも底板２の周囲の突縁部３０と口枠３とで囲まれた空間内に収納される。
【００３３】
一方、折り畳み状態から組み立てる際は、口枠３を底板２から離すように持ち上がることで、２つ折りされた両折り畳み用側板４が垂直姿勢となるように展開されるので、この状態で、両起倒用側板９を回動して垂直姿勢とすることで、起倒用側板９の両端部が垂直姿勢となった両折り畳み用側板４の端部内面に当接し、更に、下係止部３８と下被係止部３９とを係止すると共に側係止部４０と側被係止部４１とを係止することで、図１乃至図３に示すように箱形状に組み立てるものである。
【００３４】
このようにして箱形状に組み立てた折り畳みコンテナ１内に収納物を収納して収納物の保管や搬送に利用する。
【００３５】
この際、箱形状に組み立てた折り畳みコンテナ１を手で持つ際に口枠３を手に持って持ち上げる場合がある。口枠３を持って折り畳みコンテナ１を持ち上げると、口枠３と折り畳み用側板４の上側板５との連結部分に、口枠３を除く折り畳みコンテナ１及び収納物の全重量がかかることになり、収納物が重量物の場合は、上軸部１１が上軸受け部１２から上下方向に外れようとするが、本発明においては、上側板５が垂直姿勢となった状態で、口枠３を持ち上げた際に、図７（ａ）のように、上外れ防止片１４が上支持部１５の上面部に当接するので、収納物の重量が上外れ防止片１４から上支持部１５に掛かって支持されることになり、上軸部１１と上軸受け部１２との軸支部分に収納物の重量が集中して掛からないか又は殆ど軸支部分に重量が掛からないようにできて、上軸部１１が上軸受け部１２から上下方向に外れることがない。
【００３６】
ここで、本発明においては、上軸支部１０と上外れ防止部１３を隣接して設けてあるので、上軸支部１０を構成する上軸部１１及び上軸受け部１２と、上外外れ防止部１３に備えた上支持部１５及び上外れ防止片１４との相互の位置関係が正確に確保でき、変形等による相互の位置関係の誤差も少なくなる。したがって、口枠３と上側板５との組み立てが簡単且つ正確に行えることになり、このように組み立てが正確にできるので、口枠３を手で持って折り畳みコンテナ１を持ち上げた際に、上外れ防止片１４が上支持部１５の上面部に確実に当たって、いっそう上軸部１１と上軸受け部１２との軸支が上下方向に外れるのを防止することができる。
【００３７】
また、箱状に組み立てた状態で、口枠３を手で掴んで持ち上げた場合、底板２に掛かる収納物の重量が、底板２と下側板６との連結部分に掛かるが、図８（ａ）のように下外れ防止片２１が下支持部２０の下面部に当たって、収納物の重量が下外れ防止片２１から下支持部２０に掛って支持され、これにより、下軸部１７と下軸受け部１８との軸支部分に収納物の重量が集中して掛からないか又は殆ど軸支部分に重量が掛からないようにできて、下軸部１７が下軸受け部１８から上下方向に外れることがない。また、下軸支部１６と下外れ防止部１９を隣接して設けてあるので、下軸支部１６を構成する下軸部１７及び下軸受け部１８と、下外外れ防止部１９に備えた下支持部２０及び下外れ防止片２１との相互の位置関係が正確に確保でき、組み立てが簡単且つ正確に行えて、口枠３を手で持って折り畳みコンテナ１を持ち下げた際に、下外れ防止片２１が下支持部２０の下面部に確実に当たって、下軸部１７と下軸受け部１８との軸支が上下方向に外れるのをいそう防止することができる。
【００３８】
また、口枠３を手で持って手前に引いたり、あるいは、折り畳み用側板４に横方向の外力が作用した場合、上外れ防止部１３により上軸部１１と上軸受け部１２との軸支が横方向に外れるのが防止できると共に、下外れ防止部１９により下軸部１７と下軸受け部１８との軸支が横方向に外れるのが防止できる。
【００３９】
添付図面に示す上記実施形態では、上軸部１１を上側板５に設け、上軸受け部１８を口枠３に設けて上軸支部１０を構成した例を示したが、上軸部１１を口枠３に設け、上軸受け部１２を上側板５に設けて上軸支部１０を構成してもよい。
【００４０】
また、添付図面に示す上記実施形態では、下軸部１７を下側板６に設け、下軸受け部１８に設けて下軸支部１６を構成した例を示したが、下軸部１７を底板２に設け、下軸受け部１８を下側板６に設けて下軸支部１６を構成してもよい。
【００４１】
また、図示を省略しているが、口枠３と起倒用側板９の上端とを連結する連結部分に、本発明の上側板５と口枠３との連結と同じように、口枠３と起倒用側板９とを回動自在に軸支する上軸部と上軸受け部とよりなる上軸支部と、上軸部が上軸受け部から外れるのを防止するための上外れ防止部を隣接して設け、該上外れ防止部が、少なくとも起倒用側板９が垂直姿勢となった状態で、口枠を持ち上げた際に、起倒用側板９に作用する下向きの荷重により口枠の軸支部分の隣に設けた上支持部の上面に当接して起倒用側板９を口枠３に支持させるための上外れ防止片を起倒用側板９に備えてもよいものである。
【図面の簡単な説明】
【００４２】
【図１】本発明の折り畳みコンテナを箱状に組み立てた状態の斜視図である。
【図２】同上の箱状に組み立てた状態の側面断面図である。
【図３】同上の箱状に組み立てた状態の側面図である。
【図４】同上の折り畳んだ状態の側面断面図である。
【図５】同上の折り畳んだ状態の側面図である。
【図６】同上の折り畳んだ状態の正面断面図である。
【図７】（ａ）は同上の上側板の垂直状態における上外れ防止部部分の断面図であり、（ｂ）は上側板を回動している途中の状態における上外れ防止部部分の断面図であり、（ｃ）は上側板の略水平状態における上外れ防止部部分の断面図である。
【図８】（ａ）は同上の下側板の垂直状態における下外れ防止部部分の断面図であり、（ｂ）は下側板を回動している途中の状態における下外れ防止部部分の断面図であり、（ｃ）は下側板の略水平状態における下外れ防止部部分の断面図である。
【図９】同上の口枠と上側板との連結部分を示す分解斜視図である。
【図１０】同上の底板と下側板との連結部分を示す分解斜視図である。
【図１１】同上の起倒用側板の下端部の下係止部を底板に設けた下被係止部に係止した部分の断面図である。
【図１２】同上の起倒用側板の側端部の側係止部を折り畳み用側板の側被係止部に係止した部分の断面図である。
【図１３】本発明の他の実施形態の箱状に組み立てた状態の斜視図である。
【符号の説明】
【００４３】
１  折り畳みコンテナ
２  底板
３  口枠
４  折り畳み用側板
５  上側板
６  下側板
９  起倒用側板
１０  上軸支部
１１  上軸部
１２  上軸受け部
１３  上外れ防止部
１４  上外れ防止片
１５  上支持部
１６  下軸支部
１７  下軸部
１８  下軸受け部
１９  下外れ防止部
２０  下支持部
２１  下外れ防止片
【図１】
2008290752.tif 000003
【図２】
2008290752.tif 000004
【図３】
2008290752.tif 000005
【図４】
2008290752.tif 000006
【図５】
2008290752.tif 000007
【図６】
2008290752.tif 000008
【図７】
2008290752.tif 000009
【図８】
2008290752.tif 000010
【図９】
2008290752.tif 000011
【図１０】
2008290752.tif 000012
【図１１】
2008290752.tif 000013
【図１２】
2008290752.tif 000014
【図１３】
2008290752.tif 000015